(57)【特許請求の範囲】
【請求項１】
サービスエリアが複数の地域エリアに分割された移動通信網との無線接続により音声通信が可能な移動通信端末において、
送話音声信号系の回路特性の可変設定で音質調整を可能とするとともに、
移動通信網の各地域エリア別に、地域エリアの網側の移動通信設備の送話音声伝送特性に応じた送話音声信号系の音質調整用の回路特性設定情報が記憶された記憶手段と、
無線基地局から制御チャネルにより通知される位置情報に基づき地域エリアを判別し、記憶手段の中から当該地域エリアに対応する音質調整用の回路特性設定情報を読み出し、送話音声信号系に設定する設定手段と、
を備えたことを特徴とする移動通信端末。
【請求項２】
送話音声信号系は、ノイズキャンセラ部とイコライザ部を含み、少なくとも一方の回路特性が可変設定できるようにしたこと、
を特徴とする請求項１記載の移動通信端末。
【請求項３】
送話音声信号系の回路特性の可変設定で音量調整を可能とするとともに、
記憶手段に、移動通信網の各地域エリア別に、地域エリアの網側の移動通信設備の送話音声伝送特性に応じた送話音声信号系の音量調整用の回路特性設定情報を記憶しておき、
設定手段は、無線基地局から制御チャネルにより通知される位置情報に基づき地域エリアを判別し、記憶手段の中から当該地域エリアに対応する音質調整用の回路特性設定情報と音量調整用の回路特性設定情報を読み出し、送話音声信号系に設定するようにしたこと、
を特徴とする請求項１記載の移動通信端末。
【請求項４】
サービスエリアが複数の地域エリアに分割される移動通信網との無線接続により音声通信が可能な移動通信端末において、
受話音声信号系の回路特性の可変設定で音質調整を可能とするとともに、
移動通信網の各地域エリア別に、地域エリアの網側の移動通信設備の受話音声伝送特性に応じた受話音声信号系の音質調整用の回路特性設定情報が記憶された記憶手段と、
無線基地局から制御チャネルにより通知される位置情報に基づき地域エリアを判別し、記憶手段の中から当該地域エリアに対応する音質調整用の回路特性設定情報を読み出し、受話音声信号系に設定する設定手段と、
を備えたことを特徴とする移動通信端末。
【請求項５】
受話音声信号系は、ノイズキャンセラ部とイコライザ部を含み、少なくとも一方の回路特性が可変設定できるようにしたこと、
を特徴とする請求項４記載の移動通信端末。
【請求項６】
受話音声信号系の回路特性の可変設定で音量調整を可能とするとともに、
記憶手段に、移動通信網の各地域エリア別に、地域エリアの網側の移動通信設備の受話音声伝送特性に応じた受話音声信号系の音量調整用の回路特性設定情報を記憶しておき、
設定手段は、無線基地局から制御チャネルにより通知される位置情報に基づき地域エリアを判別し、記憶手段の中から当該地域エリアに対応する音質調整用の回路特性設定情報と音量調整用の回路特性設定情報を読み出し、受話音声信号系に設定するようにしたこと、
を特徴とする請求項４記載の移動通信端末。
【発明の詳細な説明】
【０００１】
【発明の属する技術分野】
本発明は、移動通信端末に係り、とくにサービスエリアが複数の地域エリアに分割された移動通信網との無線接続により音声通信が可能な移動通信端末に関する。
【０００２】
【従来の技術】
携帯電話、ＰＨＳなどの移動通信端末は、移動通信網との無線接続により、音声通話が可能となる。移動通信網のサービスエリアは全国であったり、関東、近畿、中部の如く複数県にまたがるなど広範囲である。端末の呼び出しの際、サービスエリア内の全ての無線基地局から呼び出し信号を発することにすると、呼び出し要求の衝突を避けるためには利用可能者数が限られてしまう。そこで、サービスエリアを例えば県単位の如く、複数の地域エリア（制御ゾーンとも呼ばれる）に分割し、事前に移動通信端末がどの地域エリアに存在するか登録しておき、端末の呼び出しの際、移動通信端末の存在する地域エリア内の全ての無線基地局から呼び出し信号を発するようにしている。移動通信網は地域エリアの単位でシステムが構築されることが多く、１つの地域エリアは例えば多数の無線基地局と１つの移動通信制御局から成る。
【０００３】
ところで、移動通信端末の通話音質が悪いと、相手に不明瞭に聞こえたり、相手の声が聞きづらくなったりしてしまう。そこで、移動通信端末の送話音声系と受話音声系はともに一定以上の音質が得られるように回路が設計されている。
【０００４】
【発明が解決しようとする課題】
けれども、同じ移動通信端末で通話しても、地域エリアが変わると送話音質または受話音質が悪化してしまうことがある。これは、地域エリア毎に無線基地局や移動通信制御局の設備メーカが異なっていたり、メーカは同じでも設備の新旧の違いなどで、音声伝送特性に差が存在するからである。なお、ディジタル移動通信の場合には、音声信号は符号化されて伝送されるので、設備の差の影響を受けないように思われるが、実際には、他の移動通信事業者との接続や固定電話網との接続などのため符号化音声信号の復号化、再符号化などの複雑な信号処理を行っていることなどにより、通話音質に差が生じる。
本発明は上記した従来技術の問題点に鑑みなされたもので、どの地域エリアで無線接続しても良好な音質で通話できる移動通信端末を提供することを、その目的とする。
【０００５】
【課題を解決するための手段】
本発明の請求項１記載の発明は、サービスエリアが複数の地域エリアに分割される移動通信網との無線接続により音声通信が可能な移動通信端末において、送話音声信号系の回路特性の可変設定で音質調整を可能とするとともに、移動通信網の各地域エリア別に、地域エリアの網側の移動通信設備の送話音声伝送特性に応じた送話音声信号系の音質調整用の回路特性設定情報が記憶された記憶手段と、無線基地局から制御チャネルにより通知される位置情報に基づき地域エリアを判別し、記憶手段の中から当該地域エリアに対応する音質調整用の回路特性設定情報を読み出し、送話音声信号系に設定する設定手段と、を備えたことを特徴としている。
請求項１によれば、移動通信端末の存在する地域エリアが変わると、新たな地域エリアの網側の移動通信設備の送話音声伝送特性に応じた回路特性が送話音声信号系に設定されるので、地域エリア毎に網側の移動通信設備の送話音声伝送特性に差が存在していても、常に良好な送話音質が得られる。
送話音声信号系にイコライザ部、ノイズキャンセル部などを含めておき、少なくとも一方の回路特性を可変設定できるようにしても良く、或いは、送話音声信号系の回路特性の可変設定で音量調整を可能とするとともに、記憶手段に、移動通信網の各地域エリア別に、地域エリアの網側の移動通信設備の送話音声伝送特性に応じた送話音声信号系の音量調整用の回路特性設定情報を記憶しておき、設定手段は、無線基地局から制御チャネルにより通知される位置情報に基づき地域エリアを判別し、記憶手段の中から当該地域エリアに対応する音質調整用の回路特性設定情報と音量調整用の回路特性設定情報を読み出し、送話音声信号系に設定するようにして、地域エリア毎に網側の移動通信設備の送話音声伝送特性に差が存在していても、常に良好な送話音質と送話音量が得られるようにしても良い。
本発明の請求項４記載の発明は、サービスエリアが複数の地域エリアに分割される移動通信網との無線接続により音声通信が可能な移動通信端末において、受話音声信号系の回路特性の可変設定で音質調整を可能とするとともに、移動通信網の各地域エリア別に、地域エリアの網側の移動通信設備の受話音声伝送特性に応じた受話音声信号系の音質調整用の回路特性設定情報が記憶された記憶手段と、無線基地局から制御チャネルにより通知される位置情報に基づき地域エリアを判別し、記憶手段の中から当該地域エリアに対応する音質調整用の回路特性設定情報を読み出し、受話音声信号系に設定する設定手段と、を備えたことを特徴としている。
請求項４によれば、移動通信端末の存在する地域エリアが変わると、新たな地域エリアの網側の移動通信設備の送話音声伝送特性に応じた回路特性が受話音声信号系に設定されるので、地域エリア毎に網側の移動通信設備の受話音声伝送特性に差が存在していても、常に良好な受話音質が得られる。
受話音声信号系にイコライザ部、ノイズキャンセル部などを含めておき、少なくとも一方の回路特性を可変設定できるようにしても良く、或いは、受話音声信号系の回路特性の可変設定で音量調整を可能とするとともに、記憶手段に、移動通信網の各地域エリア別に、地域エリアの網側の移動通信設備の受話音声伝送特性に応じた受話音声信号系の音量調整用の回路特性設定情報を記憶しておき、設定手段は、無線基地局から制御チャネルにより通知される位置情報に基づき地域エリアを判別し、記憶手段の中から当該地域エリアに対応する音質調整用の回路特性設定情報と音量調整用の回路特性設定情報を読み出し、受話音声信号系に設定するようにし、地域エリア毎に網側の移動通信設備の受話音声伝送特性に差が存在していても、常に良好な受話音質と受話音量が得られるようにしても良い。
【０００６】
【発明の実施の形態】
以下、図面に従って本発明の一つの実施の形態を説明する。図１は本発明に係るセルラー方式の移動通信システムの全体構成図、図２は無線基地局とＴＤＭＡ方式で無線接続する携帯電話機の構成を示すブロック図である。
図１において、Ａ1 〜Ａn は各々、或るディジタル携帯電話事業者の移動通信網の地域エリアであり、１つの地域エリアＡi （但し、ｉ＝１、２、・・ｎ）の移動通信設備は、多数の無線基地局ＭＢＳi1、ＭＢＳi2・・と１つの移動通信制御局ＭＣＣi から成る。移動通信制御局ＭＣＣ1 、ＭＣＣ2 、・・の相互間は直接または間接的に回線で接続されている。
携帯電話ＭＳが或る１つの地域エリアＡi の中の或る１つの無線基地局ＭＢＳijの近くに存在するとき、携帯電話ＭＳは無線基地局ＭＢＳijと無線接続することで通話が可能となる。
【０００７】
ところで、各地域エリアＡ1 〜Ａn は、システムの設備メーカの相違、同じメーカでも設備の新旧の相違などにより、音声伝送特性に差が有る場合が多い。仮に携帯電話ＭＳが送話音質の調整ができないタイプの場合、携帯電話ＭＳが存在する地域エリアによっては、音質悪化で相手が聞きずらくなってしまうことがある。同様に、携帯電話ＭＳが受話音質の調整ができないタイプの場合、携帯電話ＭＳが存在する地域エリアによっては、音質悪化で相手の声が聞きずらくなってしまうことがある。
【０００８】
この実施の形態では、携帯電話ＭＳは送話音声信号系の回路特性を可変設定することで送話音質が調整可能となっており、同様に、受話音声信号系の回路特性を可変設定することで受話音質が調整可能となっている。そして、携帯電話ＭＳが存在する地域エリアの網側の移動通信設備（無線基地局と移動通信制御局）の送話音声信号伝送特性に適合した回路特性に送話音声信号系を自動設定することで良好な送話音質が自動的に得られるようにし、同様に、携帯電話ＭＳの存在する地域エリアの網側の移動通信設備（無線基地局と移動通信制御局）の受話音声信号伝送特性に適合した回路特性に受話音声信号系を自動設定することで良好な受話音質が自動的に得られるようにしてある。
【０００９】
以下、図２を参照して携帯電話ＭＳの具体的構成を説明する。
１は送受共用のアンテナ、２は無線部であり、待ち受け中は間歇的に受信モードとされ、無線基地局からの所望周波数の連続的なＴＤＭ信号の内、共通アクセスチャネルを含むタイムスロットのアンテナ受波信号の低雑音増幅、周波数変換、ディジタル復調を行ってベースバンド受信ディジタル信号（受信ＴＤＭＡタイムスロット信号）をベースバンド信号処理部へ出力する。待ち受け中に発信要求や位置登録要求などの無線基地局側への送信が必要になると短時間だけ送信モードとされ、後述するベースバンド信号処理部から入力するバースト状のベースバンド送信ディジタル信号（送信ＴＤＭＡタイムスロット信号であり、共通双方向制御チャネルのデータを含む）のディジタル変調及び所望周波数への周波数変換と電力増幅を行ってアンテナ１へ出力する。また、無線部２は通話状態では、受信モード、送信モード、アイドルモードに巡回的に切り換えられる。送信モード時は後述するベースバンド信号処理部から入力するバースト状のベースバンド送信ディジタル信号（送信ＴＤＭＡタイムスロット信号であり、情報チャネルのデータを含む）のディジタル変調及び所望周波数への周波数変換と電力増幅を行ってアンテナ１へ出力し、受信モード時は無線基地局からの所望周波数の連続的なＴＤＭ信号の内、所望情報チャネルを含む所望タイムスロットのアンテナ受波信号の低雑音増幅、周波数変換、ディジタル復調を行ってベースバンド受信ディジタル信号（受信ＴＤＭＡタイムスロット信号）をベースバンド信号処理部へ出力する。なお、無線部２は受信電界強度を検出して出力する機能を有する。
【００１０】
３はベースバンド信号処理部（ＴＤＭＡ回路）であり、待ち受け状態では、無線部２から間歇的に入力する共通アクセスチャネルを含むタイムスロットのベースバンド受信ディジタル信号から共通アクセスチャネルのデータを抽出して後述するコントローラへ出力する。共通アクセスチャネルには、一斉呼び出しチャネルによる着信情報、報知チャネルによる基地局情報（無線基地局識別符号、地域エリアに対応する地域識別情報等）が含まれる。待ち受け中に発信要求や位置登録要求などの無線基地局側への送信が必要になると、コントローラから入力した発信要求信号や位置登録要求信号を共通双方向制御チャネル（個別セル用チャネル）のデータに含めた送信ＴＤＭＡタイムスロット信号を作成し、一時的に送信モードとされた無線部２へ出力する。
【００１１】
また、ベースバンド信号処理部３は、通話状態では、受信モードに在る無線部２から入力した受信ＴＤＭＡタイムスロット信号から情報チャネルのデータと付随制御チャネルのデータを抽出し、前者の内、高能率符号化受話音声データを復号（伸長）してディジタル受話音声信号として後述するディジタル音声信号処理部へ出力し、付随制御チャネルのデータはコントローラへ出力する。また、ベースバンド信号処理部３は、ディジタル音声信号処理部から入力したディジタル送話音声信号を高能率符号化して得た高能率符号化送話音声信号を含む情報チャネルのデータと、コントローラから入力した付随制御チャネルのデータから送信ＴＤＭＡタイムスロット信号を作成し、送信モードに在る無線部２へ出力する。
【００１２】
４はディジタル音声信号処理部であり、ディジタル送受話音声信号に対する周波数特性の加工（イコライジング）、ノイズ抑圧、音量調節、エコーキャンセル、側音付加などをディジタル領域で実行する。なお、ここでは説明の便宜上、エコーキャンセルと側音付加の説明を省略する。５はディジタル音声信号処理部４から出力されたディジタル受話音声信号をＤ／Ａ変換するＤ／Ａ変換器、６はＤ／Ａ変換器５の出力で駆動される受話マイク、７は送話マイク、８は送話マイク７から出力される送話音声信号をＡ／Ｄ変換してディジタル音声信号処理部４へ出力するＡ／Ｄ変換器である。
【００１３】
ディジタル音声信号処理部４は例えばＤＳＰ（ディジタルシグナルプロセッサ）を用いて具現される。ディジタル音声信号処理部４の内、１０はＡ／Ｄ変換器８から出力されたディジタル送話音声信号に対し音量調節を行うディジタルボリューム部、１１はディジタル送話信号に対しノイズ抑圧を行うディジタルノイズサプレッサ部、１２はディジタル送話信号に対する周波数特性の加工を行うディジタルイコライザ部である。ディジタルボリューム部１０、ディジタルノイズサプレッサ部１１、ディジタルイコライザ部１２により送話音声信号系が構成されている。
【００１４】
１３はベースバンド信号処理部４から入力したディジタル受話音声信号に対し周波数特性の加工を行うディジタルイコライザ部、１４はディジタル受話信号に対しノイズ抑圧を行うディジタルノイズサプレッサ部、１５はディジタル受話音声信号に対し音量調節を行うディジタルボリューム部である。ディジタルイコライザ部１３、ディジタルノイズサプレッサ部１４、ディジタルボリューム部１５により受話音声信号系が構成されている。
ディジタルイコライザ部１２、１３は、各々ｍ次のＦＩＲ型ディジタルフィルタにより構成されており、たとえば（ｍ＋１）個の乗算係数（フィルタ係数）Ｂ0 〜Ｂm 、ｂ0 〜ｂm を可変することで周波数特性を可変可能になっている（図３、図４参照）。ディジタルノイズサプレッサ部１１、１４は周波数領域減算法により、ディジタル送受話音声信号に含まれるノイズ成分と同じノイズ成分を人工的につくり出し、減算処理することでノイズ抑圧を行うが、人工的につくり出したノイズ成分の減算比率である減算量Ｒ、ｒを可変することでノイズ抑圧量を可変できるようになっている。ディジタルボリューム部１０、１５はディジタル送受話音声信号に対するゲインＧ、ｇを可変することで音量調節するようになっている。
【００１５】
地域エリア毎の移動通信網側の設備の送話音声信号伝送特性に合わせて、携帯電話ＭＳの送話音声信号系の各部の回路特性を可変設定することで、送話音質調整を行い、地域エリアの差によらず良好な送話音質が得られるようにする。具体的には、主にディジタルイコライザ部１２の周波数特性とディジタルノイズサプレッサ部１１のノイズ抑圧量を可変設定して地域エリアに最適な送話音質が得られるようにし、補助的にディジタルボリューム部１０でのゲインＧを可変設定して、地域エリアによらず聴感上の送話音量が一定となるようにする。
【００１６】
また、地域エリア毎の移動通信網側の設備の受話音声信号伝送特性に合わせて携帯電話ＭＳの受話音声信号系の各部の回路特性を可変設定することで、受話音質調整を行い、地域エリアの差によらず良好な受話音質が得られるようにする。具体的には、主にディジタルイコライザ部１３の周波数特性とディジタルノイズサプレッサ部１４のノイズ抑圧量を可変設定して地域エリアに最適な送話音質が得られるようにし、補助的にディジタルボリューム部１５でのゲインｇを可変設定して、地域エリアによらず聴感上の受話音量が一定となるようにする。
【００１７】
１６は呼び出し音を発するリンガ、１７は電源オン／オフ操作を行う電源キー、オフフック／オンフック操作を行うフックキーなどを有するキー操作部、１８は音質調整用ＲＯＭであり、地域エリアＡi （但し、ｉ＝１、２、・・ｎ）を示す地域識別情報（ここでは地域識別番号とする）Ａ−ＩＤi の別に、最適な送話音質が得られる送話音声信号系の各部の回路特性の設定データ組（ディジタルイコライザ部１２のフィルタ係数Ｂ0i〜Ｂmi、ディジタルノイズサプレッサ部１１のノイズ成分の減算量Ｒi 、ディジタルボリューム部１０のゲインＧi ）と、最適な受話音質が得られる受話音声信号系の各部の回路特性の設定データ組（ディジタルイコライザ部１３のフィルタ係数ｂ0i〜ｂmi、ディジタルノイズサプレッサ部１４のノイズ成分の減算量ｒi 、ディジタルボリューム部１５のゲインｇi ）が記憶してある（図５参照）。
【００１８】
１９はマイコン構成のコントローラであり、待ち受け処理、位置登録処理、発信接続処理、着信接続処理など移動通信網との無線接続に必要な各種処理を行うほか、送話音声信号系と受話音声信号系に対し携帯電話ＭＳが存在する地域エリアに応じた回路特性に可変設定することで、携帯電話ＭＳが存在する地域エリアがどこであるかに関わらず、良好な送話音質と受話音質が得られるようにする。
【００１９】
図６、図７はコントローラ１９の制御処理を示すフローチャートであり、以下、この図を参照してこの実施の形態の動作を説明する。
なお、携帯電話ＭＳは現在、地域エリアＡ1 の無線基地局ＭＢＳ11の近くに存在しているものとする（図１の実線Ｃ参照）。
【００２０】
（１）位置登録
キー操作部１７の電源キーを押して電源オン操作をすると、コントローラ１９は、無線部２を制御して受信モードとし、移動通信網の周波数帯域内を周波数サーチさせ、受信電界強度が一番大きく共通アクセスチャネルのデータを含むＴＤＭ信号電波に同調させるとともに、共通アクセスチャネルのデータを含むタイムスロットの受信ＴＤＭＡタイムスロット信号をベースバンド信号処理部３に出力させる（図６のステップＳ１）。ベースバンド信号処理部３は共通アクセスチャネルのデータを抽出してコントローラ１９へ出力する。コントローラ１９は共通アクセスチャネルの報知チャネルに含まれる無線基地局情報の内の地域識別情報（ここではＡ1 を示す地域識別番号Ａ−ＩＤ1 であったとする）を判読し（ステップＳ２）、既に内蔵メモリ１９Ａに現在位置情報として登録済であれば、待ち受け処理の側へ移行する（ステップＳ３でＹＥＳ）。ここでは登録済でなかったとすると今回受信した地域識別番号を内蔵メモリ１９Ａに現在位置情報として登録後（ステップＳ３でＮＯ、Ｓ４）、無線部２とベースバンド信号処理部３を制御し、空きの共通双方向制御チャネルを用いて、位置登録信号（自機の機種識別番号と今回受信した地域識別番号を含む）を共通双方向制御チャネルのデータに含む送信ＴＤＭＡタイムスロット信号を無線基地局Ａ1 の側に送信させる（ステップＳ５）。携帯電話ＭＳから位置登録信号を受信した無線基地局ＭＢＳ11は、上位の移動通信制御局ＭＣＣ1 を介してホームメモリ局（図示せず）へ送信し、位置登録させる。
【００２１】
（２）送受話音声信号系の回路特性の設定
続いて、コントローラ１９は音質調整用ＲＯＭ１８から、今回受信した地域識別番号の示す地域エリアＡ1 に対応するフィルタ係数Ｂ01〜Ｂm1、減算量Ｒ1 、ゲインＧ1 を読み出し、フィルタ係数Ｂ01〜Ｂm1をディジタルイコライザ部１２のフィルタ係数Ｂ0 〜Ｂm として設定し、減算量Ｒ1 をディジタルノイズサプレッサ部１１の減算量Ｒとして設定し、ゲインＧ1 をディジタルボリューム部１０のゲインＧとして設定することで、送話音声信号系の各回路特性を地域エリアＡ1 に最適な送話音質が得られるように設定する。また、音質調整用ＲＯＭ１８から、今回受信した地域識別情報の示す地域エリアＡ1 に対応するフィルタ係数ｂ01〜ｂm1、減算量ｒ1 、ゲインｇ1 を読み出し、フィルタ係数ｂ01〜ｂm1をディジタルイコライザ部１３に設定し、減算量ｒ1 をディジタルノイズサプレッサ部１４に設定し、ゲインｇ1 をディジタルボリューム部１５に設定することで、受話音声信号系の各回路特性を地域エリアＡ1 に最適な受話音質が得られるように設定する（ステップＳ６）。
【００２２】
（３）待ち受け
このあと、コントローラ１９は待ち受け処理に移行する。待ち受け処理では無線部２を制御して受信モードと休止モードを交互に繰り返させ（図７のステップＳ２０、Ｓ２１、Ｓ２２）、受信モードでは、前回サーチした受信電界強度が一番大きく共通アクセスチャネルを含む周波数及びタイムスロットの受信ＴＤＭＡタイムスロット信号を受信させて一定以上の電界強度が有るかチェックする（ステップＳ２３）。一定以上の電界強度が有れば、ベースバンド信号処理部３は共通アクセスチャネルのデータを抽出してコントローラ１９へ出力する。コントローラ１９は、共通アクセスチャネルの内、報知チャネルに含まれる無線基地局情報の内の地域識別情報が内蔵メモリ１９Ａに登録済の現在位置情報と一致しているかチェックする（図６のステップＳ２、Ｓ３）。若し、携帯電話ＭＳの移動で一致しなければステップＳ４に進み、再度、前述した位置登録と送受話音声信号系の回路特性の可変設定を行うが、ここではステップＳ３で一致していたとすると、共通アクセスチャネルの内、一斉報知チャネルで自局宛の着信があったかチェックし（ステップＳ７）、なければ待ち受けを継続する。
【００２３】
（４）着信通話または発信通話
待ち受け中に自局宛の着信があったとき（ホームメモリ局での位置登録に基づき、地域エリアＡ1 の全ての無線基地局ＭＢＳ11、ＭＢＳ12、・・から一斉呼び出しされる）、コントローラ１９は無線部２とベースバンド信号処理部３を制御し、共通双方向制御チャネルを用いて無線基地局ＭＢＳ11の側に着信応答（ここでは着信第１応答）したのち無線基地局ＭＢＳ11との連係で情報チャネルを確立する（ステップＳ８）。そして、ベースバンド信号処理部３から情報チャネルに付随した付随制御チャネルで呼び出し信号を入力すると、リンガ１６を駆動して呼び出し音を発生させる（ステップＳ９）。ユーザがフックキーの押圧でオフフック操作をすると、コントローラ１９は無線部２とベースバンド信号処理部３を制御し、付随制御チャネルで着信第２応答信号を送信させ、通話状態に移行する（ステップＳ１０、Ｓ１１）。また、待ち受け中にユーザがオフフック操作と相手先のダイヤル操作による発信操作をしたときは（図７のステップＳ２４でＹＥＳ）、発信接続処理をする。具体的には、コントローラ１９は無線部２とベースバンド信号処理部３を制御し、共通双方向制御チャネルを用いて無線基地局ＭＢＳ11の側に発信要求したのち無線基地局ＭＢＳ11との連係による情報チャネルの確立をする。相手側のオフフックに伴い通話状態となる（ステップＳ２５）。
【００２４】
通話状態では、コントローラ１９は所定のタイミングで無線部２を受信モード、送信モード、アイドルモードに巡回的に切り換える。受信モード時、無線基地局ＭＢＳ11から自局宛の情報チャネルを含む下りの受信ＴＤＭＡタイムスロット信号を無線部２が受信し、ベースバンド信号処理部３に出力する。ベースバンド信号処理部３は入力した受信ＴＤＭＡタイムスロット信号の情報チャネル中の高能率符号化受話音声信号を復号してディジタル受話音声信号に変換し、内蔵バッファメモリに一時記憶させる。そして、内蔵バッファメモリから連続的に読み出し、ディジタル音声信号処理部４へ出力させる。ベースバンド信号処理部３は通話中、ディジタル音声信号処理部４から連続的に入力したディジタル送話音声信号を高能率符号化して高能率符号化送話音声信号に変換し、内蔵バッファメモリに一時記憶する。そして、高能率符号化送話音声信号から成る情報チャネルを含む上りＴＤＭＡタイムスロット信号を作成し、所定のタイミングで送信モードとされた無線部２を介して無線基地局ＭＢＳ11の側に送信させる。
【００２５】
送話マイク７から入力された送話音声信号はＡ／Ｄ変換器８でディジタル送話音声信号に変換されたあと、ディジタル音声信号処理部４に入力される。ディジタル音声信号処理部４ではディジタルノイズサプレッサ部１１でノイズ成分が抑圧され、ディジタルイコライザ部１２で周波数特性が加工される。また、ディジタルボリューム部１０で音量調節される。これらの送話音声信号系の各回路特性は、地域エリアＡ1 の網側の移動通信設備の送話音声信号伝送特性に適した設定がされているので、相手には良好な送話音質で伝達されることになる。例えば、地域エリアＡ1 の網側の設備の送話音声信号伝送特性が低域を強調し過ぎている場合、ディジタルイコライザ部１２には低域を落とす周波数特性が設定され、反対に、地域エリアＡ1 の網側の設備の送話音声信号伝送特性が高域を強調し過ぎている場合、ディジタルイコライザ部１２には高域を落とす周波数特性が設定されるという具合にして、地域エリアＡ1 の網側の移動通信設備の送話音声信号伝送特性の欠点を補う送話音質調整が自動的になされる。
【００２６】
ベースバンド信号処理部４から出力されたディジタル受話音声信号は、ディジタルノイズサプレッサ部１４でノイズ成分が抑圧され、ディジタルイコライザ部１３で周波数特性が加工され、ディジタルボリューム部１５で音量調節される。そして、Ｄ／Ａ変換器５でアナログ音声信号に変換されたあと、受話スピーカ６から出力される。受話音声信号系の各回路特性は、地域エリアＡ1 の網側の設備の受話音声伝送特性に適した設定がされているので、良好な受話音質が得られることになる。例えば、地域エリアＡ1 の網側の移動通信設備の受話音声信号伝送特性が背景雑音が大きいとき、ディジタルノイズサプレッサ部１４ではノイズ抑圧量が大きく設定され、この際、ディジタルノイズサプレッサ部１４で歪が生じるが、該歪を抑制するようにディジタルイコライザ部１３の周波数特性が設定されるという具合にして、地域エリアＡ1 の網側の移動通信設備の受話音声信号伝送特性の欠点を補う受話音質調整が自動的になされる。
【００２７】
通話中にユーザがフックキーを押してオンフック操作をするか（ステップＳ１１でＹＥＳ）、相手がオンフック操作をし、下りの情報チャネルまたは情報チャネルに付随した付随制御チャネルで切断信号が受信されて、ベースバンド信号処理部３から入力されると（ステップＳ１２でＹＥＳ）、コントローラ１９は無線部２とベースバンド信号処理部３を制御し、無線基地局ＭＢＳ11との連係で切断処理をし、元の待ち受け状態に戻る（ステップＳ１３）。
【００２８】
（５）再位置登録と送受話音声信号系の回路特性の再設定
待ち受け中に、携帯電話ＭＳが移動し、無線基地局ＭＢＳ11から離れ、地域エリアＡ2 の無線基地局ＭＢＳ21に近づいたとき（図１の破線Ｄ参照）、前回サーチした共通アクセスチャネルを含むＴＤＭＡタイムスロット信号の受信電界強度が次第に小さくなり、ステップＳ２３でＮＯとなる。すると、コントローラ１９は図６のステップＳ１へ戻り、移動通信網の周波数帯域内を周波数サーチさせ、受信電界強度が一番大きく共通アクセスチャネルを含むＴＤＭ信号電波に同調させるとともに、共通アクセスチャネルを含むタイムスロットの受信ＴＤＭＡスロット信号をベースバンド信号処理部３に出力させる。ベースバンド信号処理部３は共通アクセスチャネルのデータを抽出してコントローラ１９へ出力する。コントローラ１９は共通アクセスチャネルの報知チャネルのデータに含まれる無線基地局情報の内の地域識別番号（ここではＡ2 を示すＡ−ＩＤ2 であったとする）を判読し（ステップＳ２）、内蔵メモリ１９Ａに登録済の現在位置情報と一致するかチェックする（ステップＳ３）。ＮＯとなるので、再度前述した位置登録をする。すなわち、内蔵メモリ１９Ａの現在位置情報を今回受信した地域識別番号に登録し直し（ステップＳ４）、位置登録信号（自機識別番号と地域識別情報を含む）を含む送信ＴＤＭＡタイムスロット信号を作成して送信させる（ステップＳ５）。
【００２９】
続いて、コントローラ１９は音質調整用ＲＯＭ１８から、今回受信した地域識別番号Ａ−ＩＤ2 の示す地域エリアＡ2 に対応するフィルタ係数Ｂ02〜Ｂm2、減算量Ｒ2 、ゲインＧ2 を読み出し、フィルタ係数Ｂ02〜Ｂm2をディジタルイコライザ部１２に設定し、減算量Ｒ2 をディジタルノイズサプレッサ部１１に設定し、ゲインＧ2 をディジタルボリューム部１０に設定することで、送話音声信号系の各回路特性を地域エリアＡ2 に最適な送話音質が得られるようにする。また、音質調整用ＲＯＭ１８から、今回受信した地域識別情報の示す地域エリアＡ2 に対応するフィルタ係数ｂ02〜ｂm2、減算量ｒ2 、ゲインｇ2 を読み出し、フィルタ係数ｂ02〜ｂm2をディジタルイコライザ部１３に設定し、減算量ｒ2 をディジタルノイズサプレッサ部１４に設定し、ゲインｇ2 をディジタルボリューム部１５に設定することで、受話音声信号系の各回路特性を地域エリアＡ2 に最適な受話音質が得られるようにする。
【００３０】
この結果、携帯電話ＭＳが地域エリアＡ2 に存在している状態で通話したとき、地域エリアＡ2 の網側の移動通信設備の送話音声信号伝送特性の欠点を補う送話音質調整が自動的になされ、地域エリアＡ2 の網側の移動通信設備の受話音声信号伝送特性の欠点を補う受話音質調整が自動的になされるため、良好な送受話音質が得られることになる。携帯電話ＭＳが他の地域エリアＡ3 、Ａ4 ・・に移動したときも全く同様である。
【００３１】
この実施の形態によれば、電源オン直後に携帯電話ＭＳの存在する地域エリアの網側の移動通信設備の送話音声信号伝送特性に適合した回路特性が、携帯電話ＭＳの送話音声信号系に自動設定されて送話音質が地域エリアに適するように自動調整されるとともに、携帯電話ＭＳの存在する地域エリアが変われば、新たな地域エリアの網側の移動通信設備の送話音声信号伝送特性に適合した回路特性が、携帯電話ＭＳの送話音声信号系に自動設定されるので、地域エリア毎に網側の移動通信設備に送話音声信号伝送特性の差が存在していても、常に良好な送話音質が得られる。同様に、電源オン直後に携帯電話ＭＳの存在する地域エリアの網側の移動通信設備の受話音声信号伝送特性に適合した回路特性が、携帯電話ＭＳの受話音声信号系に自動設定されて送話音質が地域エリアに適するように自動調整されるとともに、携帯電話ＭＳの存在する地域エリアが変われば、新たな地域エリアの網側の移動通信設備の受話音声信号伝送特性に適合した回路特性が、携帯電話ＭＳの送話音声信号系に自動設定されるので、地域エリア毎に網側の移動通信設備に受話音声信号伝送特性の差が存在していても、常に良好な受話音質が得られる。
【００３２】
なお、上記した実施の形態では、送話音声信号系のディジタルイコライザ部１２、ディジタルノイズサプレッサ部１１、ディジタルボリューム部１０の全ての回路特性を可変設定して送話音質調整を行うようにしたが、ディジタルイコライザ部１２だけで行うようにしたり、ディジタルノイズサプレッサ部１１だけで行うようにしたり、ディジタルイコライザ部１２とディジタルボリューム部１０だけで行うようにしたり、ディジタルノイズサプレッサ部１１とディジタルボリューム部１０だけで行うようにしたり、ディジタルイコライザ部１２とディジタルノイズサプレッサ部１１だけで行うようにしても良い。同様に、受話音声信号系のディジタルイコライザ部１３、ディジタルノイズサプレッサ部１４、ディジタルボリューム部１５の全ての回路特性を可変設定して受話音質調整を行うようにしたが、ディジタルイコライザ部１３だけで行うようにしたり、ディジタルノイズサプレッサ部１４だけで行うようにしたり、ディジタルイコライザ部１３とディジタルボリューム部１５だけで行うようにしたり、ディジタルノイズサプレッサ部１４とディジタルボリューム部１５だけで行うようにしたり、ディジタルイコライザ部１３とディジタルノイズサプレッサ部１４だけで行うようにしても良い。
【００３３】
また、上記した実施の形態では、送話音声信号系の各回路部をディジタル領域で構成したが、一部または全部をアナログ領域で構成しても良く、受話音声信号系の各回路部もディジタル領域で構成したが、一部または全部をアナログ領域で構成しても良い。
また、地域エリアは、地域識別情報により判別したが、報知チャネルで無線基地局識別情報が送信されることから、予め、無線基地局識別情報と地域エリアとの対応表を音質調整用ＲＯＭに記憶しておき、受信した無線基地局識別情報に基づき、無線基地局識別情報と地域エリアとの対応表から地域エリアを判別するようにしても良い。
また、上記の実施の形態は本発明を携帯電話に適用した場合を例に挙げたが、ＰＨＳ（パーソナルハンデイフォンシステム）、業務用および趣味用の無線機などにも利用できる。
【００３４】
【発明の効果】
この発明によれば、移動通信端末の存在する地域エリアが変わると、新たな地域エリアの網側の移動通信設備の送（受）話音声伝送特性に応じた回路特性が送（受）話音声信号系に設定されるので、地域エリア毎に網側の移動通信設備の送（受）話音声信号伝送特性に差が存在していても、常に良好な送（受）話音質が得られる。
【図面の簡単な説明】
【図１】本発明の実施の形態に係る移動通信システムの全体構成図である。
【図２】本発明の実施の形態に係る携帯電話を示すブロック図である。
【図３】図２中の送話音声信号系のディジタルイコライザ部の具体的回路図である。
【図４】図２中の受話音声信号系のディジタルイコライザ部の具体的回路図である。
【図５】図２中の音質調整用ＲＯＭの記憶内容の説明図である。
【図６】図２中のコントローラの制御処理を示すフローチャートである。
【図７】図２中のコントローラの制御処理を示すフローチャートである。
【符号の説明】
１  アンテナ                        ２  無線部
３  ベースバンド信号処理部          ４  ディジタル音声信号処理部
６  受話スピーカ                    ７  送話マイク
１０、１５  ディジタルボリューム
１１、１４  ディジタルノイズサプレッサ部
１２、１３  ディジタルイコライザ部
１７  キー操作部
１８  音質調整用ＲＯＭ
１９  コントローラ
１９Ａ  内蔵メモリ
【図１】
0004113574.tif 000002
【図２】
0004113574.tif 000003
【図３】
0004113574.tif 000004
【図４】
0004113574.tif 000005
【図５】
0004113574.tif 000006
【図６】
0004113574.tif 000007
【図７】
0004113574.tif 000008